(57)【要約】【課題】三次元映像を表示することが可能な映像表示装置において、消費電力を低減することが可能な映像表示装置を提供する。【解決手段】三次元映像を表示するための映像を出力する受像機と、前記三次元映像を視聴するための視聴用メガネとを有する映像表示装置において、前記視聴用メガネの位置又は向きを検出する動き検出手段と、前記検出された位置又は向きに応じて視聴者の視聴状態を判断し、視聴を行っていない場合は、前記受像機の画面を暗くする消費電力低減手段と、を有する。【選択図】図２
2012044469.tif 000002
【特許請求の範囲】
【請求項１】
三次元映像を表示するための映像を出力する受像機と、前記三次元映像を視聴するための視聴用メガネとを有する映像表示装置において、
前記視聴用メガネの位置又は向きを検出する動き検出手段と、
前記検出された位置又は向きに応じて視聴者の視聴状態を判断し、視聴を行っていない場合は、前記受像機の画面を暗くする消費電力低減手段と、を有することを特徴とする映像表示装置。
【請求項２】
前記消費電力低減手段は、前記画面の輝度を下げた後、視聴がされていない状態が一定期間続く場合は、表示された映像を消すことを特徴とする請求項１に記載の映像表示装置。
【請求項３】
前記消費電力低減手段は、前記視聴用メガネの移動方向を前記検出結果に応じて予測し、視聴が再開される前に前記画面を元の状態に切り替えることを特徴とする請求項１又は請求項２のいずれかに記載の映像表示装置。
【請求項４】
当該映像表示装置は、バックライトを光源として映像を表示し、
前記消費電力低減手段は、前記バックライトを消灯することで前記画面を暗くすることを特徴とする請求項１から請求項３のいずれか一項に記載の映像表示装置。
【請求項５】
前記動き検出手段は、前記視聴用メガネに備えられた発光体と、
前記受像機に備えられて、前記発光体から照射される光を受信して、前記視聴用メガネの動きを検出する受信手段と、を備えることを特徴とする請求項１から請求項４のいずれか一項に記載の映像表示装置。
【請求項６】
前記動き検出手段は、前記視聴用メガネに備えられた発光体と、
前記受像機に備えられて、前記発光体から照射される光を受信して、前記視聴用メガネの動きを検出する受信手段と、を備え、
当該映像表示装置は、バックライトを光源として映像を表示し、
前記消費電力低減手段は、
前記画面の輝度を下げた後、視聴がされていない状態が一定期間続く場合は、前記バックライトを消灯することで前記画面を暗くし、
前記視聴用メガネの移動方向を前記発光体から照射される光の速度により予測し、視聴が再開される前に前記画面を元の状態に切り替えることを特徴とする請求項１に記載の映像表示装置。
【発明の詳細な説明】
【技術分野】
【０００１】
本発明は、三次元映像を表示可能な映像表示装置に関する。
【背景技術】
【０００２】
従来、３次元映像を表示可能な映像表示装置が開示されている。映像表示装置が三次元映像を表示する方式の一例として、視聴者の右眼に入力する映像（以下、右眼映像と記載する。）と、左眼に入力する映像（以下、左眼映像と記載する。）とを所定フレームで交互に表示するフレームシーケンス方式がある。
【０００３】
上記したフレームシーケンス方式の映像表示装置において、右眼映像と左眼映像とを最適に視聴者に入力させるために視聴用メガネを用いるものがある。この視聴用メガネは、映像の入射を所定周期で遮断するシャッター機能を備えており、映像表示装置が交互に表示する右眼映像及び左眼映像に同期して右眼側又は左眼側の入射を交互に遮断する（例えば、特許文献１、２、３、及び４参照。）。
【先行技術文献】
【特許文献】
【０００４】
【特許文献１】特開２０００−００４４５３号公報
【特許文献２】特開平０９−０９６７７９号公報（特許公報  第３１７２４０７号）
【特許文献３】特開２００６−１１３０８８号公報
【特許文献４】特開平１１−１５５１５２号公報
【発明の概要】
【発明が解決しようとする課題】
【０００５】
近年限りある資源を有効に活用するために効率的にエネルギーを消費できる製品が求められている。上記した三次元映像を表示可能な映像表示装置においてもエネルギー効率を高めるよう要求があることは必然であり、省電力化に対応することが求められている。
【０００６】
本発明は、上記課題にかんがみてなされたもので、三次元映像を表示することが可能な映像表示装置において、消費電力を低減することが可能な映像表示装置の提供を目的とする。
【課題を解決するための手段】
【０００７】
上記課題を解決するために、本発明では、三次元映像を表示するための映像を出力する受像機と、前記三次元映像を視聴するための視聴用メガネとを有する映像表示装置において、前記視聴用メガネの位置又は向きを検出する動き検出手段と、前記検出された位置又は向きに応じて視聴者の視聴状態を判断し、視聴を行っていない場合は、前記受像機の画面を暗くする消費電力低減手段と、を有する構成としてある。
【０００８】
上記のように構成された発明では、動き検出手段は、視聴用メガネの位置又は向きを検出し、省電力低減手段は、検出された位置又は向きに応じて視聴者の視聴状態を判断し、視聴者が視聴を行っていない場合は、受像機の画面を暗くする。
視聴用メガネが受像機の表示画面を向いていない場合は、視聴者は三次元映像を視聴していない場合が高く、画面を暗くしても問題はない。そのため、視聴者が画面を視認していない場合に画面を暗くすることで消費電力を低減することが可能となる。
【０００９】
ここで、画面を暗くするとは、画面輝度を低くして消費電力を下げる場合や、画面に表示される映像を消すことで消費電力を下げる場合も含まれる。そのため、前記消費電力低減手段は、前記画面の輝度を下げた後、視聴がされていない状態が一定期間続く場合は、表示された映像を消す構成としてもよい。
上記のように構成された発明では、視聴者の視聴状態に応じて消費電力の低減と復帰に要する時間とをバランスよく両立することができる。
【００１０】
また、前記消費電力低減手段は、前記視聴用メガネの移動方向を前記検出結果に応じて予測し、視聴が再開される前に前記画面を元の状態に切り替える構成としてもよい。
画面を一度暗くした後元に戻すまでにタイムラグが発生する場合が多いが、上記のように構成された発明では、視聴者が視聴を再開する前に画面を元に戻すよう作用するため、視聴者にタイムラグを感じさせることなく映像を視聴させることができる。
【００１１】
そして、画面を暗くする手法の一例として、当該映像表示装置は、バックライトを光源として映像を表示し、前記消費電力低減手段は、前記バックライトを消灯することで前記画面を暗くする構成としてもよい。
上記のように構成された発明では、バックライトの調光制御により画面を暗くすることができるため、映像信号に加工を施す必要がなくより簡易に本発明を実現することができる。
【００１２】
さらに、動き検出手段の好適な一例として、前記動き検出手段は、前記視聴用メガネに備えられた発光体と、前記受像機に備えられて、前記発光体から照射される光を受信して、前記視聴用メガネの動きを検出する受信手段と、を備える構成としてもよい。
上記のように構成された発明では、簡易な構成により動き検出手段を実現することができる。
【００１３】
また、本発明の他の好適な一例として、前記動き検出手段は、前記視聴用メガネに備えられた発光体と、前記受像機に備えられて、前記発光体から照射される光を受信して、前記視聴用メガネの動きを検出する受信手段と、を備え、当該映像表示装置は、バックライトを光源として映像を表示し、前記消費電力低減手段は、前記画面の輝度を下げた後、視聴がされていない状態が一定期間続く場合は、前記バックライトを消灯することで前記画面を暗くし、前記視聴用メガネの移動方向を前記発光体から照射される光の速度により予測し、視聴が再開される前に前記画面を元の状態に切り替える構成としてもよい。
【発明の効果】
【００１４】
以上説明したように本発明によれば、視聴者が画面を視認していない場合に画面を暗くすることで消費電力を低減することが可能となる。
また請求項２にかかる発明によれば、視聴者の視聴状態に応じて消費電力の低減と復帰に要する時間とをバランスよく両立することができる。
そして請求項３にかかる発明によれば、視聴者が視聴を再開する前に画面を元に戻すよう作用するため、視聴者にタイムラグを感じさせることなく映像を視聴させることができる。
さらに請求項４にかかる発明によれば、バックライトの調光制御により画面を暗くすることができるため、映像信号に加工を施す必要がなくより簡易に本発明を実現することができる。
また請求項５にかかる発明によれば、簡易な構成により動き検出手段を実現することができる。
【図面の簡単な説明】
【００１５】
【図１】映像表示装置１００の外観を示す斜視図である。
【図２】映像表示装置１００の構成を説明するためのブロック構成図である。
【図３】一例としての受像機９０と視聴用メガネ８０との相対的な位置関係を説明するための図である。
【図４】受像機９０により実行される処理を説明するためのフローチャートである。
【図５】第２の実施形態において図４のステップＳ１０により実行される処理を説明するフローチャートである。
【発明を実施するための形態】
【００１６】
以下、下記の順序に従って本発明の実施形態を説明する。
１．第１の実施形態：
１．１．映像表示装置１００の構成：
１．２．映像表示装置１００の機能：
２．第２の実施形態：
３．その他の実施形態：
【００１７】
１．第１の実施形態： 
１．１．映像表示装置１００の構成：
以下、図を参照して、この発明に係る映像表示装置を具体化した第１の実施の形態について説明する。図１は、映像表示装置１００の外観を示す斜視図である。また、図２は、映像表示装置１００の構成を説明するためのブロック構成図である。
【００１８】
本実施形態では、映像表示装置１００は、テレビジョン放送を受信して所定の番組を出力する機能、又はレコーダー等の外部機器が再生する映像・音声信号を受信して映像及び音声を出力する機能を備える装置である。そのため、映像表示装置１００は、任意の映像及び音声を出力するための受像機９０と、この受像機９０が三次元映像にかかる映像を表示する場合に、この三次元映像を視聴するための視聴用メガネ８０とを備えて構成されている。
【００１９】
受像機９０は、図示しないアンテナが受信したテレビジョン放送信号を受信し、この放送信号をもとに映像を表示する。また、受像機９０は、ユーザーによる視聴用メガネ８０の装着に応じて、三次元映像の表示と二次元映像の表示とを切り替える。本実施形態にかかる受像機９０は、フロントエンド部９１と、バックエンド部９２と、ディスプレイ９３と、バックライト９４と、メインコントローラー９５と、視聴用メガネ８０の位置及び向きを検出するためのセンサー（受信手段）９６と、を備えて構成されている。
【００２０】
フロントエンド部９１は、図示しないアンテナが受信したテレビジョン放送から任意のチャンネルを抽出するためのチューナー部や、外部機器からの映像信号又は音声信号の入力を受付ける入力端子とを備えて構成されている。
【００２１】
バックエンド部９２は、フロントエンド部９１により抽出された映像信号又は音声信号を復調し、復調後の映像信号に対してディスプレイ９３の解像度に応じた画素数変換を行う。ここで、フロントエンド部９１から入力された映像信号がフィールドシーケンシャル方式に対応した三次元映像を表示するものである場合、映像信号は視聴者の右眼に入射されるべき右眼映像と左眼に入射されるべき左眼映像とが交互（例えば、１２０Ｈｚの周期）で表示されるよう形成されている。
【００２２】
ディスプレイ９３は、例えばＬＣＤ（Liquid Crystal Display）パネルを備え、このＬＣＤパネルを駆動するための駆動電圧を上記した映像信号から生成する。そのため、映像信号が上記したフィールドシーケンシャル方式に対応するものである場合は、ディスプレイ９３は、映像信号にもとづいて生成された駆動信号により、右眼映像と左眼映像とを交互に表示する。
【００２３】
バックライト９４は、冷陰極管やＬＥＤ等を備えて構成され、ディスプレイ９３の光源として作用する。バックライト９４は、ディスプレイ９３の背面側に対向するよう配置され、ディスプレイ９３の表示画面（例えばＬＣＤパネル）を構成する画素の透過率に応じて画面輝度を設定する。
【００２４】
センサー９６は、視聴用メガネ８０の位置情報と向き情報とを検出するためのものであり、例えば視聴用メガネ８０に備えられた発光部（後述）から照射される光を受光する受光素子である。そのため、受像機９０は、発光部から照射される光を介して視聴用メガネ８０の位置情報や向き情報を検出する。また、センサー９６が視聴用メガネの速度（加速度）を検出する場合は、センサー９６は加速度センサーを備える構成となる。
【００２５】
図３は、一例としての受像機９０と視聴用メガネ８０との相対的な位置関係を説明するための図である。ここで、位置情報とは、受像機９０と視聴用メガネ８０との間の相対的な関係であり、例えばセンサー９６を原点とした仮想的な空間軸により規定される。また、向き情報とは、視聴者が視聴用メガネ８０を装着して視聴を行う場合に、同視聴用メガネ８０のフレーム８０ａ全面の傾きを意味する。即ち、視聴者が視聴用メガネ８０を視聴して三次元映像の視聴を行う場合、フレーム８０ａの全面は受像機９０の表示面に対して略水平（一定の角度を伴う。）であるため、センサー９６は、この場合のフレーム８０ａの傾きを基準として、水平方向Ｈｃ及び垂直方向Ｖｃの傾きを検出する。
【００２６】
メインコントローラー９５は、ＣＰＵや、このＣＰＵが所定の処理を実行するためのプログラムＰＤが記録されたＲＯＭ、及びＣＰＵのワークエリアとして作用するＲＡＭとを備えて構成され、受像機９０の駆動を統合的に制御する。更に、本実施形態では、メインコントローラー９５はプログラムＰＤを実行することにより、映像切り替えモジュールＭ１、位置・向き検出モジュールＭ２、消費電力制御モジュールＭ３の機能を実現する。
【００２７】
映像切り替えモジュールＭ１は、視聴用メガネ８０が視聴者に装着されたことを検出して、二次元映像又は三次元映像の出力を切り替える。位置・向き検出モジュールＭ２は、視聴用メガネ８０の位置及び向きを視聴用メガネ８０から照射される光に基づいて検出する。消費電力制御モジュールＭ３は、検出された視聴用メガネ８０の位置及び向きに応じて、バックライトを消灯する。なお、本実施形態では、位置情報・動き検出モジュールＭ２及び消費電力制御モジュールＭ３により本発明の消費電力低減手段を実現する。
【００２８】
視聴用メガネ８０は、受像機が三次元映像を表示する場合に、この受像機９０が表示する右眼映像と左眼映像の入射を切り替える機能を備える。本実施形態にかかる視聴用メガネ８０は、アクティブシャッター８１、８２と、コントローラー８３と、スイッチ８４と、発光体８５と、を備えて構成されている。
【００２９】
アクティブシャッター８１，８２は、コントローラー８３の制御により右眼映像と左眼映像の入射を切り替えるシャッターとして機能する。コントローラー８３は、右眼映像と左眼映像が表示される周期（例えば１２０Ｈｚ）に同期させて、アクティブシャッター８１，８２のシャッター動作を交互に切り替える。そのため、右眼映像が表示されている場合は、視聴者の右眼に対向するアクティブシャッター８１のみが光を透過させ、右眼映像を入射させ、左眼映像が表示されている場合は、視聴者の左眼に対向するアクティブシャッター８２のみが光を透過させ、左眼映像を入射させる。
【００３０】
スイッチ８４は、視聴者が視聴用メガネ８０を装着した場合に、発光体８５を発光させて、装着の有無を示す装着信号を受像機９０に送信させる。受像機９０のメインコントローラー９５はこの信号をセンサー９６を介して受信することにより、視聴者が視聴用メガネ８０を装着したか否かを判断する。
【００３１】
発光体８５は、例えばＬＥＤ等により構成され、スイッチ８４がオンされた場合の視聴信号、及び受像機９０側で視聴用メガネ８０の位置及び向きを検出するための信号を照射する。そのため、センサー９６と発光体８５により本発明の動き検出手段を実現する。
【００３２】
１．２．映像表示装置１００の機能：
図４は、受像機９０により実行される処理を説明するためのフローチャートである。以下、受像機９０にメイン電源が投入された状態で、視聴者が視聴用メガネ８０を装着して三次元映像を視聴する流れを例に説明を行う。
【００３３】
まず、視聴者が視聴用メガネ８０を装着するとスイッチ８４がオンし、発光体８５から装着信号が受像機９０のセンサー９６に入射する。そのため、映像切り替えモジュールＭ１は、この装着信号の入射により三次元映像にかかる映像信号（右眼映像、左眼映像）をディスプレイ９３に送信するよう切り替える。
【００３４】
ステップＳ１では、位置・向き検出モジュールＭ２は、視聴用メガネ８０から照射される信号を受光し、初期設定を行なう。この初期設定では、例えば視聴者が視聴用メガネ８０を装着した状態での位置や向き等が初期値として設定される。以後、位置・向き検出モジュールＭ２により、視聴用メガネ８０の位置及び向きが監視される（ステップＳ２）。
【００３５】
ステップＳ３において、位置・向き検出モジュールＭ２は、視聴用メガネ８０のスイッチ８４がオフされることなく（ステップＳ３：ＮＯ）、監視中の位置情報又は向き情報のいずれかが所定の範囲の変化を超えて変化し、視聴者が受像機９０の画面を視聴していないと判断した場合（ステップＳ４：ＹＥＳ）、消費電力制御モジュールＭ３に画面輝度を下げるよう命令する。ここで、視聴者が受像機９０の表示画面から視線を外すよう姿勢を変化させる場合、視聴用メガネ８０のフレーム８０ａ全面の向きがステップＳ３において設定された初期値から、画面（センサー９６）に対して水平方向Ｈｃで変化（視聴者の視線が上下に変化する場合は垂直方向Ｖｃで変化）するため、センサー９６はこの変化を検出し、視聴者が画面を視聴していないと判断する。
【００３６】
ステップＳ５において、消費電力制御モジュールＭ３は画面輝度を低減させる。ステップＳ５における画面輝度の低減は例えば、バックライト９４の発光輝度を複数段階下げるなどして実現される。一方、視聴用メガネ８０のスイッチ８４がオフされた場合（ステップＳ３：ＹＥＳ）、映像切り替えモジュールＭ１は、出力映像を二次元映像に対応する映像に切り替え、処理を終了する。
【００３７】
その後、一定期間、位置情報及び向き情報のいずれも初期値に戻るよう変化しない場合（ステップＳ６：ＮＯ）、消費電力制御モジュールＭ３はバックライト９４を消灯することで画面を消す（ステップＳ７）。
一方、視聴者が一次的に画面を視聴せず、一旦、画面輝度が低減された場合でも（ステップＳ５）、センサー９６により検出された位置情報及び向き情報が初期値に戻ることで視聴を再開した場合は（ステップＳ６：ＮＯ）、消費電力制御モジュールＭ３は、画面を消すことなく画面輝度を元の値に復帰する（ステップＳ８）。上記構成とすることで視聴者の視聴状態に応じて消費電力の低減と復帰に要する時間（タイムラグ）とをバランスよく両立することができる。
【００３８】
ステップＳ２に戻り、位置情報及び向き情報の監視が継続され、位置情報及び向き情報が変化し（ステップＳ４：ＮＯ）、画面が消された状態である場合（ステップＳ９：ＹＥＳ）、消費電力制御モジュールＭ３は、視聴者が再度三次元映像を視聴するものと判断し、消画を解除する（ステップＳ１０）。以後、ステップＳ２〜Ｓ１０の処理が繰り返し実行される。以上、第１の実施形態を説明した。
【００３９】
２．第２の実施形態：
第１の実施形態では、視聴用メガネ８０の位置情報及び向き情報により画面の消画が制御されたが、一旦、画面を消した後、再度画面の復帰を行う場合に、一定のタイムラグが発生する場合も想定される。そのため、第２の実施形態では、視聴者（視聴用メガネ８０）の向きをその動きにより予測し、視聴者が三次元映像の視聴を再開する前に消画された画面を復帰させる構成としてもよい。上記のように構成することで、映像表示装置１００は視聴者が視聴を再開する前に画面を元に戻すよう作用するため、視聴者にタイムラグを感じさせることなく映像を視聴させることができる。
【００４０】
図５は、第２の実施形態において図４のステップＳ１０により実行される処理を説明するフローチャートである。なお、この第２の実施形態では、センサー９６は入射した光の加速度を検出することが可能な加速度センサーとしての機能を備えるものとする。
【００４１】
ステップＳ１１において、位置情報・傾き検出モジュールＭ２は、センサー９６が検出した視聴用メガネ８０の速度方向（加速度）を検出する。また、ステップＳ１２において、位置・向き検出モジュールＭ２は、検出した速度方向をもとに視聴用メガネ８０の移動方向を予測する。
【００４２】
そして、位置・向き検出モジュールＭ２は、予測した視聴用メガネの移動方向が受像機９０の表示画面に向かう方向であると判断した場合（ステップＳ１３：ＹＥＳ）、ステップＳ１４において、消費電力制御モジュールＭ３は消画を解除する。例えば、図３に示す受像機９０と視聴用メガネ８０の位置関係において、視聴用メガネ８０の速度方向（加速度）が水平方向ＨｃでＡ（Ａ’）の向きとなった場合、視聴者が画面の方向を向くことで三次元映像の視聴を再開する可能性が高くなる。そのため、消費電力制御モジュールＭ３は、バックライト９４の消灯を視聴用メガネ８０が初期位置に戻ったことを検出する前に前解除し、視聴者が三次元映像を視聴する時には映像の表示を再開する。以上、第２の実施形態を説明した。
【００４３】
以上説明したように、本実施形態にかかる映像表示装置１００では、視聴用メガネ８０の位置又は向きを検出し、検出された位置又は向きに応じて視聴者の視聴状態を判断し、視聴者が視聴を行っていない場合は、受像機９０の画面を暗くする。そのため、視聴者が画面を視認していない場合に画面を暗くすることで消費電力を低減することが可能となる。
【００４４】
３．その他の実施形態：
本発明は、様々な実施形態が存在する。
動き検出手段を構成するセンサー９６と発光体８５の位置関係は上記実施形態に限定されない。例えば、発光体８５が受像機９０側に配置されており、センサー９６が視聴用メガネ８０に配置されて、視聴用メガネ８０側で上記処理を行なう構成としてもよい。また、発光体８５及びセンサー９６が受像機９０側に配置されており、視聴用メガネ８０に反射板等を備え、受像機から照射された光をこの反射板により反射させる構成としてもよい。
【００４５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４６】
８０…視聴用メガネ、８０ａ…フレーム、８１，８２…アクティブシャッター、８３…コントローラー、８４…スイッチ、８５…発光体、９０…受像機、９１…フロントエンド部、９２…バックエンド部、９３…ディスプレイ、９４…バックライト、９５…メインコントローラー、９６…センサー、１００…映像表示装置
【図１】
2012044469.tif 000003
【図２】
2012044469.tif 000004
【図３】
2012044469.tif 000005
【図４】
2012044469.tif 000006
【図５】
2012044469.tif 000007